(57)【要約】      （修正有）【課題】男性の陰茎を補助するものであって、より最良の機能が優れていている男性機能補助具を提供することを目的とする。【解決手段】外壁部２と内壁部３からなる筒体１に膨張壁部４が設けられ、周回状の空気室ができ、膨張壁部４の反対側の外壁部２の外側に連通した逆止弁５が設けてある。その逆止弁５から送気ポンプで送気することによって膨張壁部４のみが外側に膨張するが、本発明は外壁部２と内壁部３の材質は同じ硬さで膨張壁部４は柔軟な材質にすることによって、必要な部分だけ膨張するようになっている。また外壁部２は硬い材質を使用し、内壁部３の材質は柔軟な材質にすることにより同じように必要な部分だけ膨張する構造となっている。どちらも膨張壁部４のみが膨張することにより最良の効果が発揮できる男性機能補助具である。【選択図】図２８
2008061989.tif 000002
【特許請求の範囲】
【請求項１】
筒体１は中硬な合成樹脂でできている外壁部２の一方の先端を内側に折り返して内壁部３となり、その折り返した内壁部３の先端は外壁部２の反対側の先端より伸延し、伸延した内壁部３と外壁部２にまたがって周回状の膨張壁部４が設けられていて、外壁部２と内壁部３にそれぞれ溶着されて、外壁部２と内壁部３との間に周回状の空気室６ができ、その空気室６の膨張壁部４の反対側の外壁部２の外側に連通した逆止弁５が設けてあり、その逆止弁５から空気を送気することによってその内壁部３が内方向に向かって狭まり、続いて空気を送気すると膨張壁部４が膨張することが可能な筒体式の筒体１で構成されたことを特徴とする男性機能補助具。
【請求項２】
筒体１は合成樹脂でできている中硬な外壁部２と柔軟な内壁部３からできていて、内壁部３の一方が外壁部２の外側に折り返して被さって溶着し、その反対側は内壁部３が外壁部２より伸延して折り返して膨張壁部４となり、外壁部２の外側に溶着されている。外壁部２と内壁部３との間に周回状の空気室６ができ、膨張する内壁部３の反対側の外壁部２の外側に連通した逆止弁５が設けてあり、その逆止弁５から空気を送気することによってその内壁部３が内方向に向けて狭まり、続いて送気すると膨張壁部４のみが膨張することが可能な筒体式の本体１で構成されたことを特徴とする男性機能補助具。
【発明の詳細な説明】
【技術分野】
【０００１】  本発明は男性陰茎の勃起を補助するための男性機能補助具に関する。
【背景技術】
【０００２】  従来この種の男性機能補助具として特許文献１に記載されたものが公知である。この請求項３の内容は請求項１または請求項２の筒体１の外周の一部に外壁部２が外側方向への膨張を抑える二重の外壁部２Ａを設けたことを特徴とする請求項１または２記載の男性機能補助具であるが、その構造では使用時に逆止弁５の周りの外壁部２が必要以上に膨張して問題があった。
【特許文献１】特開２００６−６８５１４号広報
【発明の開示】
【発明が解決しようとする課題】
【０００３】  上記の公知の構造は二重の外壁部が硬質材でできていて外壁部と内壁部とも軟質材であるため空気室に送気すると二重の外壁部以外の部分すなわち逆止弁の周りの外壁部が必要以上に膨張して問題があったので、本発明はその課題を克服するために構造を見直し解決することができた。
【課題を解決するための手段】
【０００４】  上記の課題を解決するために、本発明の請求項１の筒体１は中硬な合成樹脂でできている外壁部２の一方の先端を内側に折り返して内壁部３となり、その折り返した内壁部３の先端は外壁部２の反対側の先端より伸延している。伸延した内壁部３と外壁部２にまたがって周回状の膨張壁部４が設けられていて、外壁部２と内壁部３にそれぞれ溶着されている。また外壁部２と内壁部３との間に周回状の空気室６ができ、その空気室６の膨張壁部４の反対側の外壁部２の外側に連通した逆止弁５が設けてあり、その逆止弁５から空気を送気することによってその内壁部３が内方向に向かって狭まり、続いて送気をすると膨張壁部４が風船のように膨張することが可能な筒体式の筒体１で構成されていて、外壁部２と内壁部３は同じ中硬な材質であって膨張壁部４は柔軟な材質にすることによって必要な部分だけ膨張するので公知の課題を解決することができる男性機能補助具である。【０００５】  本発明の請求項２の筒体１は合成樹脂でできている中硬な外壁部２と柔軟な内壁部３からできていて、内壁部３の一方が外壁部２の外側に折り返して被さって溶着し、その反対側は内壁部３が外壁部２より伸延して折り返して膨張壁部４となり、外壁部２の外側に溶着されている。外壁部２と内壁部３との間に周回状の空気室６ができ、膨張する内壁部３の反対側の外壁部２の外側に連通した逆止弁５が設けてあり、その逆止弁５から空気を送気することによってその内壁部３が内方向に向けて狭まり、続いて送気をすると内壁部３の折り返した部分が風船のように膨張することが可能な筒体式の筒体１で構成されていて、外壁部２は硬い材質でできていて内壁部３の材質は柔軟な材質にすることによって必要な部分だけ膨張するので公知の課題を解決することができる男性機能補助具である。
【発明の効果】
【０００６】  上述したように本発明の男性機能補助具の筒体１は膨張壁部４のみが風船のように膨張することが可能な筒体で構成されているので、公知のような逆止弁の周りの外壁部が必要以上の膨張はしない構造になっている。また、膨張壁部４を設けることによって女性の膣から簡単に抜けないようになっているので最良の男性機能補助具として提供できる。【０００７】  上記をより詳しく説明すると、請求項１の場合は本体が中硬な材質の外壁部２と内壁部３でできており、膨張壁部４を設けたことによって膨張壁部４のみが膨張する構造になっている。【０００８】  請求項２の場合は本体が外壁部２は中硬な材質で内壁部３は柔軟な材質の構造になっていて、逆止弁５の反対側の膨張壁部４が膨張するようになっている。【０００９】  以上の構造によって本発明は従来の問題点を解決し、最良の効果を発揮できるものである。
【発明を実施するための最良の形態】
【００１０】  以下本発明の実施形態を図１ないし図２８に基づいて説明する。
図１は本発明の請求項１の実施例の斜視図である。
図２は本発明の請求項１の実施例の側面図である。
図３は本発明の請求項１の実施例の縦断面図である。
図４は本発明の請求項１の実施例の筒体１を陰茎８に装着した状態を示した縦断面図である。
図５は本発明の請求項１の実施例の筒体１を陰茎８に装着し、半ばまで空気室６に送気した状態を示した縦断面図である。これは空気室６に空気を送気して内壁部３が内側に狭まって陰茎８が圧迫され血液が亀頭９に流れ込み勃起した状態を表している。
図６は本発明の請求項１の実施例の筒体１を陰茎８に装着し、空気室６に空気を満杯に送気した状態を示した縦断面図である。空気を満杯に送気することによって内壁部３が完全に内側に狭まり陰茎８が圧迫され、より一層陰茎８が絞めつけられ亀頭９が勃起したあと膨張壁部４が膨れる状態を表している。
図７は本発明の請求項１の実施例の図４のＡ−Ａの位置の横断面図である。これは陰茎８を挿入して空気室６に送気前の状態を示している。
図８は本発明の請求項１の実施例の図５のＡ−Ａの位置の横断面図である。これは陰茎８を挿入して空気室６に半ば送気して陰茎８が半ば絞めつけられている状態を示している。
図９は本発明の請求項１の実施例の図６のＡ−Ａの位置の横断面図である。これは陰茎８を挿入して空気室６に満杯に送気して陰茎８が完全に絞めつけられている状態を示している。
図１０は本発明の請求項１の実施例の図３の丸印Ａの位置の縦断面詳細図である。外壁部２と逆止弁５とを接着部７に溶着している状態を示している。
図１１は本発明の請求項１の実施例の図３の丸印Ｂの位置の詳細縦断面図である。外壁部２と内壁部３にまたがって周回状に膨張壁部４を接着部７に溶着している状態を示している。
図１２は本発明の請求項２の実施例の斜視図である。
図１３は本発明の請求項２の実施例の側面図である。
図１４は本発明の請求項２の実施例の縦断面図である。
図１５は本発明の請求項２の実施例の筒体１を陰茎８に装着した状態を示した縦断面図である。
図１６は本発明の請求項２の実施例の筒体１を陰茎８に装着し、半ばまで空気室６に送気した状態を示した縦断面図である。これは空気室６に空気を送気して内壁部３が内側に狭まって陰茎８が圧迫され血液が亀頭９に流れ込み勃起した状態を表している。
図１７は本発明の請求項２の実施例の筒体１を陰茎８に装着し、空気室６に空気を満杯に送気した状態を示した縦断面図である。空気を満杯に送気することによって内壁部３が完全に内側に狭まり陰茎８が圧迫され、より一層陰茎８が絞めつけられ亀頭９が勃起したあと膨張壁部４が膨れる状態を表している。
図１８は本発明の請求項２の実施例の図１５のＡ−Ａの位置の横断面図である。これは陰茎８を挿入して空気室６に送気前の状態を示している。
図１９は本発明の請求項２の実施例の図１６のＡ−Ａの位置の横断面図である。これは陰茎８を挿入して空気室６に半ば送気して陰茎８が半ば絞めつけられている状態を示している。
図２０は本発明の請求項２の実施例の図１７のＡ−Ａの位置の横断面図である。これは陰茎８を挿入して空気室６に満杯に送気して陰茎８が完全に絞めつけられている状態を示している。
図２１は本発明の請求項２の実施例の図１４の丸印Ａの位置の縦断面詳細図である。外壁部２と逆止弁５とを接着部６に溶着していて内壁部３の端が折り返されて外壁部２の外側に溶着している状態を示している。
図２２は本発明の請求項２の実施例の図１４の丸印Ｂの位置の縦断面詳細図である。内壁部３が外壁部２の端より伸延して折り返されて膨張壁部４となり、その膨張壁部４と外壁部２に溶着している状態を示している。
図２３は本発明の実施例の逆止弁５の斜視図である。
図２４は本発明の実施例の送気ポンプである。
図２５は本発明の実施例の筒体１を陰茎８に装着し半ばまで空気室６に送気して陰茎を勃起させた状態で女性に挿入した状態の断面図である。
図２６は本発明の実施例の筒体１を陰茎８に装着し半ばまで空気室６に送気した状態で女性に挿入し、再度空気室６に満杯に送気した状況の断面図である。膨張壁部４が膨張して膀胱１０及び直腸１１が押し込まれた状態を示している。
図２７は公知済みの請求項３内の請求項１の筒体１に二重の外壁を設けたことを示す縦断面参考図である。
図２８は本発明の請求項１の実施例の筒体１に逆止弁５から空気を送気して膨張壁部４が膨張している状況の斜視図である。
【実施例１】
【００１１】  上記構成を詳しく説明すると、
図１から図３に示すように、本発明の実施例の筒体１は中硬な合成樹脂でできている外壁部２の一方の先端を内側に折り返して内壁部３となり、その折り返した内壁部３の先端は外壁部２の反対側の先端より伸延している。伸延した内壁部３と外壁部２にまたがって周回状の膨張壁部４が設けられていて、外壁部２と内壁部３にそれぞれ溶着されている。また外壁部２と内壁部３との間に周回状の空気室６ができ、その空気室６の膨張壁部４の反対側の外壁部２の外側に連通した逆止弁５が設けてあることを示している。【００１２】  図４から図６を説明すると、
図４は本発明の請求項１の実施例の筒体１を陰茎８に装着した状態であり、図５は、装着後、半ばまで空気室６に送気した状態を示している。これは空気室６に空気を送気して内壁部３が内側に狭まって陰茎８が圧迫された状態を表している。図６は、空気室６に空気を満杯に送気した状態を示した図であり、空気を満杯に送気することによって内壁部３が完全に内側に狭まり陰茎８が圧迫され、より一層陰茎８が絞めつけられたあと膨張壁部４が膨れる状態を表している。【００１３】  次に図７から図９を説明すると、
図７は本発明の請求項１の実施例の図４のＡ−Ａの位置の横断面図である。これは陰茎８を挿入して空気室６に送気前の状態を示している。図８は本発明の請求項１の実施例の図５のＡ−Ａの位置の横断面図である。これは陰茎８を挿入して空気室６に半ば送気して陰茎８が半ば絞めつけられている状態を示している。図９は本発明の請求項１の実施例の図６のＡ−Ａの位置の横断面図である。これは陰茎８を挿入して空気室６に満杯に送気して陰茎８が完全に絞めつけられている状態を示している。【００１４】  次に図１０から図１１を説明すると、
図１０は本発明の請求項１の実施例の図３の丸印Ａの位置の縦断面詳細図である。外壁部２と逆止弁５とを接着部６に溶着している状態を示している。図１１は本発明の請求項１の実施例の図３の丸印Ｂの位置の縦断面詳細図である。この図１１は外壁部２と内壁部３にまたがって周回状に膨張壁部４を接着部６に溶着している状態を示している。【００１５】  図１２から図１４を説明すると、
筒体１は合成樹脂でできている中硬な外壁部２と柔軟な内壁部３からできていて、内壁部３の一方が外壁部２の外側に折り返して被さって溶着し、その反対側は内壁部３が外壁部２より伸延して折り返し、外壁部２の外側に溶着されている。また外壁部２と内壁部３との間に周回状の空気室６ができ、膨張する内壁部３の反対側の外壁部２の外側に連通した逆止弁５が設けてあることを示している。【００１６】  図２８を説明すると、
本発明の請求項１の実施例の筒体１の逆止弁５から空気を送気して膨張壁部４が膨張している状況の斜視図である。
【実施例２】
【００１７】  図１５から図１７を説明すると、
図１５は本発明の請求項２の実施例の陰茎８に装着した状態を示している。図１６は装着後、半ばまで空気室６に送気した状態を示し、これは空気室６に空気を送気して内壁部３が内側に狭まって陰茎８が圧迫された状態を表している。また図１７は空気室６に空気を満杯に送気した状態を示した図であり、空気を満杯に送気することによって内壁部３が完全に内側に狭まり陰茎８が圧迫され、より一層陰茎８が絞めつけられたあと膨張壁部４が膨れる状態を表している。【００１８】  次に図１８から図２０を説明すると、
図１８は本発明の請求項２の実施例の図１５のＡ−Ａの位置の横断面図である。これは陰茎８を挿入して空気室６に送気前の状態を示している。図１９は本発明の請求項２の実施例の図１６のＡ−Ａの位置の横断面図である。これは陰茎８を挿入して空気室６に半ば送気して陰茎８が半ば絞めつけられている状態を示している。図２０は本発明の請求項２の実施例の図１７のＡ−Ａの位置の横断面図である。これは陰茎８を挿入して空気室６に満杯に送気して陰茎８が完全に絞めつけられている状態を示している。【００１９】  図２１と図２２を説明すると、
図２１は本発明の請求項２の実施例の図１４の丸印Ａの位置の縦断面詳細図である。外壁部２と逆止弁５とを接着部７に溶着していて内壁部３が折り返えされて外壁部２の外側に溶着している状態を示していて、図２２は本発明の請求項２の実施例の図１４の丸印Ｂの位置の縦断面詳細図である。内壁部３が外壁部２より伸延して折り返されて外壁部２に溶着している状態を示している。【００２０】  図２３から図２４を説明すると、
図２３は本発明に取り付ける逆止弁５の斜視図であり、図２４は本発明に使用する送気ポンプの側面図である。【００２１】  図２５と図２６を説明すると、
図２５は本発明の実施例の筒体１を陰茎８に装着し半ばまで空気室６に送気した状態で女性に挿入した状態の断面図である。図２６は本発明の実施例を陰茎６に装着し半ばまで空気室６に送気して陰茎８を勃起させた状態で女性に挿入し、再度空気室６に満杯に送気した状況の断面図である。この図は膨張壁部４が膨張して膀胱１０及び直腸１１が押し込まれた状態を示している。【００２２】  図２７は公知済みの請求項３内の請求項１の筒体１に二重の外壁を設けたことを示す縦断面参考図である。【００２３】  次に本発明の使用方法（動作）を説明する。
まず、陰茎８を筒体１の逆止弁側の開口穴から挿入して筒体１の前方に亀頭９を露出させて装着する。次に送気ポンプを逆止弁５に接続し、空気室６に空気を半ば充填すると陰茎８と亀頭９が硬化して勃起する。その後、女性の膣内に挿入してから再度空気を送り続けると膨張壁部４が膨張して陰茎８と亀頭９がよりいっそう硬化して勃起する。この本発明の取り外しは逆止弁５の根元を指で強く挟むことによって、空気室６の中の空気が排出し筒体１の膨張壁部４と内壁部３が元に戻ることにより取り外すことができる。【００２４】  本発明の目的を説明する。
発育不能や交通事故等でＥＤになった方や老化によって勃起不全になった方などの陰茎８に使用するものであり筒体１の空気の絞めつけによって陰茎８の血流が亀頭９に流れこみ勃起状態にさせることができる。【００２５】  また女性の膣壁の筋肉が老化等によって肥大したため男性との性的相性が合わない場合に本発明は膨張壁部４が膨張することによって膣壁が広げられることにより膀胱１０と直腸１１が内部に押し込まれるため陰茎８が簡単に抜けず行為を持続させることができる。【００２６】  男性性器がもともと短小で女性の膣とのサイズの不一致がある場合にも空気室６への送気量によって膨張壁部４の膨らみが調節できるため安心した性生活を送ることができる。現代の少子化問題の解決にもつながる。
以上のように、本発明は男女間の性的問題、少子化問題が解決できることを目的とした男性機能補助具である。【００２７】  本発明の筒体１は狭まった肛門の拡張にも使用できる。【００２８】  本発明の材質は溶着及び接着可能な材質であればどのような材質でも良い。【００２９】  本発明はディピング（どぶ付け）製法で形成されているが、インジェクション製法で形成しても良い。【００３０】  本発明の実施例は塩化ビニールで形成されているが、その材料にかわる合成樹脂でできていても良い。
【図面の簡単な説明】
【００３１】
【図１】  本発明の請求項１の実施例の斜視図
【図２】  本発明の請求項１の実施例の側面図
【図３】  本発明の請求項１の実施例の縦断面図
【図４】  本発明の請求項１の実施例の陰茎８に装着した状態を示した縦断面図
【図５】  本発明の請求項１の実施例の陰茎８に装着し、半ばまで空気室６に送気した状態を示した縦断面図
【図６】  本発明の請求項１の実施例の陰茎８に装着し、空気室６に空気を満杯に送気した状態を示した縦断面図
【図７】  本発明の請求項１の実施例の図４のＡ−Ａの位置の横断面図
【図８】  本発明の請求項１の実施例の図５のＡ−Ａの位置の横断面図
【図９】  本発明の請求項１の実施例の図６のＡ−Ａの位置の横断面図
【図１０】  本発明の請求項１の実施例の図３の丸印Ａの位置の縦断面詳細図
【図１１】  本発明の請求項１の実施例の図３の丸印Ｂの位置の縦断面詳細図
【図１２】  本発明の請求項２の実施例の斜視図
【図１３】  本発明の請求項２の実施例の側面図
【図１４】  本発明の請求項２の実施例の縦断面図
【図１５】  本発明の請求項２の実施例の陰茎８に装着した状態を示した縦断面図
【図１６】  本発明の請求項２の実施例の陰茎８に装着し、半ばまで空気室６に送気した状態を示した縦断面図
【図１７】  本発明の請求項２の実施例の陰茎８に装着し、空気室６に空気を満杯に送気した状態を示した縦断面図
【図１８】  本発明の請求項２の実施例の図１５のＡ−Ａの位置の横断面図
【図１９】  本発明の請求項２の実施例の図１６のＡ−Ａの位置の横断面図
【図２０】  本発明の請求項２の実施例の図１７のＡ−Ａの位置の横断面図
【図２１】  本発明の請求項２の実施例の図１４の丸印Ａの位置の縦断面詳細図
【図２２】  本発明の請求項２の実施例の図１４の丸印Ｂの位置の縦断面詳細図
【図２３】  本発明の実施例の逆止弁５の斜視図
【図２４】  本発明の実施例の送気ポンプ
【図２５】  本発明の実施例の筒体１を陰茎８に装着し半ばまで空気室６に送気した状態で女性に挿入した状況の断面図
【図２６】  本発明の実施例の筒体１を陰茎８に装着し半ばまで空気室６に送気した状態で女性に挿入し、再度空気室６を満杯にした状況の断面図
【図２７】  公知済みの請求項３内の請求項１の筒体１に二重の外壁を設けたことを示す縦断面参考図である。
【図２８】  本発明の請求項１の実施例の斜視図である。
【符号の説明】
【００３２】  １    筒体
２    外壁部
３    内壁部
４    膨張壁部
５    逆止弁
６    空気室
７    溶着部
８    陰茎
９    亀頭
１０  膀胱
１１  直腸
【図１】
2008061989.tif 000003
【図２】
2008061989.tif 000004
【図３】
2008061989.tif 000005
【図４】
2008061989.tif 000006
【図５】
2008061989.tif 000007
【図６】
2008061989.tif 000008
【図７】
2008061989.tif 000009
【図８】
2008061989.tif 000010
【図９】
2008061989.tif 000011
【図１０】
2008061989.tif 000012
【図１１】
2008061989.tif 000013
【図１２】
2008061989.tif 000014
【図１３】
2008061989.tif 000015
【図１４】
2008061989.tif 000016
【図１５】
2008061989.tif 000017
【図１６】
2008061989.tif 000018
【図１７】
2008061989.tif 000019
【図１８】
2008061989.tif 000020
【図１９】
2008061989.tif 000021
【図２０】
2008061989.tif 000022
【図２１】
2008061989.tif 000023
【図２２】
2008061989.tif 000024
【図２３】
2008061989.tif 000025
【図２４】
2008061989.tif 000026
【図２５】
2008061989.tif 000027
【図２６】
2008061989.tif 000028
【図２７】
2008061989.tif 000029
【図２８】
2008061989.tif 000030